(57)【要約】      （修正有）【課題】素人でも容易に天井に取り付けることができると共に、従来の角形ＬＥＤシーリングライトと同程度の厚さに出来、しかも寿命も短くならないようにした、角形ＬＥＤシーリングライトを提供する。【解決手段】角形ＬＥＤシーリングライト１と、該ＬＥＤシーリングライトの両側部をスライドし得るように支持する天井に間隔づけて固定した細長いレール２，２′と、該ＬＥＤシーリングライトの前端と後端のレールにコンバーター３，３′を内蔵した枠体を嵌め込む。また、該コンバーターに接続した直流電源接続コネクタ８，８′と、前記ＬＥＤシーリングライトのＬＥＤに導通する直流電源接続コネクタ７，７′とを接続させる。以上の構成により、コンバーターを外付けとし、しかもＬＥＤシーリングライトの取り付けが容易な角形ＬＥＤシーリングライトを構成する。【選択図】図１
0003174746.tif 000002
【実用新案登録請求の範囲】
【請求項１】
角形LEDシーリングライトと、該LEDシーリングライトの両側部をスライドし得るように支持する天井に間隔付けて固定した細長いレールと、該LEDシーリングライトの前端と後端のレールにコンバーターを内蔵した枠体を嵌め込むことによって、該コンバーターに接続した直流電源接続コネクタと、前記LEDシーリングライトのLEDに導通する直流電源接続コネクタとを接続させることを特徴とする角形LEDシーリングライト。
【請求項２】
前記枠体の凹部を、前記レールと前記シーリングライトの前端と後端とに、外嵌することによって、前記枠体を嵌め込む請求項１記載の角形LEDシーリングライト。
【請求項３】
前記枠体と前記レールとを、交流電源接続コネクタで着脱自在に連結し、前記枠体を前記レールに嵌め込むことによって、前記交流電源接続コネクタが接続する請求項１又は２記載の角形LEDシーリングライト。
【請求項４】
前記LEDシーリングライトを、直線状のLEDで四角形を形成した形状とし、該直線状のLEDをそれぞれ２個づつ連結し、一方のLEDに前記直流電源接続コネクタを介して前記コンバーターからの直流電源を供給することにより、４個のLEDに直流電源を供給する請求項１〜３のいずれかに記載の角形LEDシーリングライト。
【請求項５】
前記レールは、断面コ字状の溝形が対向した形状に形成され、先端は全部若しくは一部が閉鎖されている請求項１〜４のいずれかに記載の角形LEDシーリングライト。
【考案の詳細な説明】
【技術分野】
【０００１】
本考案は、天井に容易に固定できると共に、全体として厚くならないようにした角形LEDシーリングライトに関する。
【背景技術】
【０００２】
LED（発光ダイオード）を用いた照明灯は、従来の照明灯と比べ、省エネルギー性に優れている。そのため、原発事故に起因する電源不足の問題が高まる昨今、LED照明灯に対する重要性が高まってきている。
【０００３】
従来、角形LEDシーリングライトは、天井面に取り付けられていたが、コンバーターを外付けにしていたので、取付施工が大変困難であった。即ち、コンバーターを天井裏に固定していたことと、コンバーターは、熱をもつので、固定には断熱材を使用しなければならなかったことから、従来の外付けコンバーターは、取付作業に極めて大変な作業を要した。
コンバーターを内付けにしても、LEDシーリングライトは角形であったので、取り付けが容易ではない。非常に薄いものであれば、天井に張り付けて固定することもできるが、LEDシーリングライトは、ある程度の厚さがあったので、これもできないからである。
【０００４】
このような欠点を解消するため、本考案者は、角形のLEDシーリングライトにコンバーターを内蔵し、これを天井に固定したレールにスライドさせて取り付ける角形LEDシーリングライトを考案し、先に実用新案登録出願した。
【０００５】
このものは、容易に取り付けることができるという利点はあったが、コンバーターを内蔵させると、LEDシーリングライトが全体的に厚くなる問題が生じた。そればかりか、コンバーターの熱でLEDシーリングライトの寿命が短くなる問題も発生した。
【考案の開示】
【考案が解決しようとする課題】
【０００６】
この考案は、このような点に着目してなされたものであり、素人でも容易に天井に取り付けることができると共に、従来の角形LEDシーリングライトと同程度の厚さに出来、しかも寿命も短くならない角形LEDシーリングライトを提供することを目的とする。
【課題を解決するための手段】
【０００７】
上記目的に沿う本考案の構成は、角形LEDシーリングライトと、該LEDシーリングライトの両側部をスライドし得るように支持する天井に間隔づけて固定した細長いレールと、該LEDシーリングライトの前端と後端のレールにコンバーターを内蔵した枠体を嵌め込むことによって、該コンバーターに接続した直流電源接続コネクタと、前記LEDシーリングライトのLEDに導通する直流電源接続コネクタとを接続させることを特徴とする。
【０００８】
前記枠体の凹部を、前記レールと前記LEDシーリングライトの前端と後端とに外嵌することによって嵌め込むのが好ましい（請求項２）。
【０００９】
前記枠体と前記レールとを、交流電源接続コネクタで着脱自在に連結し、前記枠体を前記レールに嵌め込むことによって、前記交流電源接続コネクタが接続するように構成するのが好ましい（請求項３）。
【００１０】
前記LEDシーリングライトを、直線状のLEDで四角形を形成した形状とし、該直線状のLEDをそれぞれ２個づつ連結し、２個の一方のLEDに前記直流電源接続コネクタを介して前記コンバーターからの直流電源を供給することにより、４個のLEDに直流電源を供給するのが好ましい（請求項４）。前記レールは、断面コ字状の溝形が対向した形状に形成され、先端は全部若しくは一部が閉鎖されているのが好ましい（請求項５）。
【考案の効果】
【００１１】
本考案によれば、レールを天井に固定しておけば、素人でも簡単に角形LEDシーリングライトを天井に取り付けることができるので、従来の外付けコンバーター方式と比べて、著しく取り付けが容易となる。また、従来の角形LEDシーリングライトと同程度の厚さに出来、しかもコンバーターを内蔵したものと比べると寿命が長い利点が得られる。
【図面の簡単な説明】
【００１２】
【図１】本考案の枠体を嵌め込む前の状態を示す正面図である。
【図２】本考案の枠体を嵌め込んだ後の状態を示す正面図である。
【図３】４個のLEDに電源を供給する状態を示す正面図である。
【符号の説明】
【００１３】
１・・・・・・LEDシーリングライト
２，２´・・・・・・レール（枠体）
３，３´・・・・・・コンバーター
４，４´・・・・・・枠体
５，５´・・・・・・交流電源接続コネクタ
６，６´・・・・・・交流電源接続コネクタ
７，７´・・・・・・直流電源接続コネクタ
８，８´・・・・・・直流電源接続コネクタ
９・・・・・・電線
【考案を実施するための最良の形態】
【００１４】
以下、添付図面に従って、本考案の具体例を更に詳細に説明する。
【００１５】
図１は、本考案の実施例を示すものであり、角形LEDシーリングライト１の両側部は、天井に間隔づけて固定した断面コ字状の溝部を対向して有するレール（枠体）２，２´にスライドし得るように嵌合支持されている。コンバーター３，３´は、細長い長方形の枠体４，４´に内蔵固定されている。細長い長方形の枠体４，４´には、それぞれ下部と上部に細長い長方形の凹部（嵌合凹部）（図示せず）が形成されている。レール先端は、ストッパーの役割をさせるためにコ字形の一部若しくは全部が閉鎖されている。
【００１６】
レール２´内の先端と後端のスライド部が形成されていない部分には、交流電源接続コネクタ５，５´が固定されている。交流電源接続コネクタ５，５´は、スライド部先端の閉鎖部に固定しても良い。枠体４，４´内には、該交流電源接続コネクタ５，５´とそれぞれ接続し得る交流電源接続コネクタ６，６´が固定されている。
【００１７】
LEDシーリングライト１の先端と後端の中央部には、直流電源接続コネクタ７，７´が固定されている。枠体４，４´内には、該直流電源接続コネクタ７，７´と接続し得る直流電源接続コネクタ８，８´が固定されている。
【００１８】
長方形の枠体４，４´の凹部（嵌合凹部）を、それぞれレール２´の先端と後端とに嵌め込むことによって、交流電源接続コネクタ５，５´と交流電源接続コネクタ６，６´及び直流電源接続コネクタ７，７´と直流電源接続コネクタ８，８´とが、それぞれ接続するようになっている。
【００１９】
図１及び図２に示すように、AC電源が電線９、交流電源接続コネクタ５，６，５´，６´及び電線９を介してコンバーター３，３´に連結し、コンバーター３，３´で直流に変換されて、電線９及び直流電源接続コネクタ７，８及び７´，８´を介してシーリングライト１のLEDに供給され、LEDが点灯するようになっている。
【００２０】
図３に示すように、シーリングライトには、LEDが４個内蔵され、この実施例ではLED１とLED２とが連結され、LED３とLED４とが連結されている。コンバーター１（３）からの直流電源が、電線９及び直流電源接続コネクタ７，８を介して、LED２とLED１に供給され、LED１とLED２とを点灯させる。同様に、コンバーター２（３´）からの直流電源が、LED３とLED４に供給され、LED３とLED４とを点灯させる。
【００２１】
上記実施例では、レール２，２´及び枠体４，４´は、アルミニウム素材で形成されているが、適当なプラスチックで形成しても良く、本考案においては、その材質は特に限定されない。
【産業上の利用可能性】
【００２２】
本考案によれば、レールを天井に固定すれば、素人でも容易に角形LEDシーリングライトを天井に固定することができるので、従来の取付施工が困難であった欠点が解消されると共に、従来のLEDシーリングライトと同程度の厚さで、しかも内付けコンバーターと比べるとLEDの寿命を長く出来るから、その普及が期待される。
【図１】
0003174746.tif 000003
【図２】
0003174746.tif 000004
【図３】
0003174746.tif 000005